(57)【要約】  【課題】  施工手順が容易であり、軒のない構成にもできる屋根裏と外気との間の通気可能な屋根裏通気構造及び通気部材を提供する。  【解決手段】  化粧板１０２と外壁１０３との間に配置され、屋根裏２と外気との通気経路を形成可能な通気部材１を備え、前記通気部材１は、前記化粧板１０２と外壁１０３との外表面に沿って配置され、前記通気経路の通気開口２４が設けられた板状に構成された金属製の開口部材２０と、前記開口部材２０の裏面側に接続し、前記外壁１０３の上端に接するように配置され、前記上方へ延びる下側邪魔板２７，２８を有する樹脂製の下部邪魔板部材２１と、前記開口部材２０の裏面側に接続し、前記化粧板の下端に接するように配置され、前記下側邪魔板２７，２８と異なる奥行き位置に下側に延びる上側邪魔板３１を有する上部邪魔板部材２２と、を有する。【選択図】  図６
2019105087.tif 000002
【特許請求の範囲】
【請求項１】
軒を有しない屋根裏通気構造であって、
垂木の端面に固定された化粧板と外壁との間に配置され、屋根裏と外気との通気経路を形成可能な通気部材を備え、
前記通気部材は、前記化粧板と外壁との外表面に沿って配置され、前記通気経路の通気開口が設けられた板状に構成された金属製の開口部材と、
前記開口部材の裏面側に接続し、前記外壁の上端に接するように配置され、前記上方へ延びる下側邪魔板を有する樹脂製の下部邪魔板部材と、
前記開口部材の裏面側に接続し、前記化粧板の下端に接するように配置され、前記下側邪魔板と異なる奥行き位置に下側に延びる上側邪魔板を有する上部邪魔板部材と、
を有し、
前記下側邪魔板と上側邪魔板は高さ方向に重なるような長さに構成されることを特徴とする、屋根裏通気構造。
【請求項２】
前記上部邪魔板部材は、樹脂により構成されていることを特徴とする、請求項１に記載の屋根裏通気構造。
【請求項３】
前記下側邪魔板と上側邪魔板の少なくとも一方は、複数設けられていることを特徴とする、請求項１又は２に記載の屋根裏通気構造。
【請求項４】
前記下部邪魔板部材は、前記下側邪魔板の下端部に設けられた排水口を有し、
前記開口部材に設けられた前記通気開口は、前記下部邪魔板部材より下方まで伸びていることを特徴とする、請求項１から３のいずれか１つに記載の屋根裏通気構造。
【請求項５】
前記下部邪魔板部材は、前記外壁の上端に沿って配置される水平部と、前記水平部の中間位置に立設された第１下側邪魔板と、前記水平部の端部に前記水平部に対して立設された第２下側邪魔板とを有し、
前記上側邪魔板は、前記第１下側邪魔板と第２下側邪魔板との間の奥行き位置に配置されていることを特徴とする、請求項１から４のいずれか１つに記載の屋根裏通気構造。
【請求項６】
前記下部邪魔板部材は、前記開口部材の裏面に沿うように構成され前記水平部に連続する係止部を有し、
前記前記開口部材は、下端が折り返されて構成された前記係止部を固定する折り返し部を有することを特徴とする、請求項５に記載の屋根裏通気構造。
【請求項７】
前記第２下側邪魔板は、下側が前記水平部に対して傾斜して設けられた斜行部と、前記斜行部の上端に連続する鉛直方向に伸びる鉛直部を有し、
前記斜行部に、耐火膨張材が配置されていることを特徴とする、請求項５又は６に記載の屋根裏通気構造。
【請求項８】
軒を有しない屋根裏通気構造において、垂木の端面に固定された化粧板と外壁との間に配置される、屋根裏と外気との通気経路を形成可能な通気部材であって、
前記化粧板と外壁との外表面に沿って配置され、前記通気経路の通気開口が設けられた板状に構成された金属製の開口部材と、
前記開口部材の裏面側に接続し、前記外壁の上端に接するように配置され、前記上方へ延びる下側邪魔板を有する樹脂製の下部邪魔板部材と、
前記開口部材の裏面側に接続し、前記化粧板の下端に接するように配置され、前記下側邪魔板と異なる奥行き位置に下側に延びる上側邪魔板を有する上部邪魔板部材と、
を有し、
前記下側邪魔板と上側邪魔板は高さ方向に重なるような長さに構成されることを特徴とする、通気部材。
【発明の詳細な説明】
【技術分野】
【０００１】
本発明は、屋根裏と外気との間の通気を行なう通気経路を備えた屋根裏通気構造及び通気部材に関する。
【背景技術】
【０００２】
従来の軒天井の取り付けなどに関する軒先の構造では、屋根裏の劣化防止や法上の要請から、屋根裏と外気との間の通気構造を備えたものが求められている。通気構造を有する軒先構造の例としては、特許文献１（特開２０１３−１４７８１８号公報）に開示されているものが知られている。
【０００３】
特許文献１には、窯業系材料で構成された板状本体の裏面側に、通気口が形成された上面部及び下面部、前記上面部及び下面部とを連結する中間部、前記板状本体の裏面側下方位置に連結するための係止部とを有し、略コの字状の薄板状材料で構成された換気金具を取り付けた化粧部材を、軒下の外壁上部に前記換気金具の中間部が接触するように配置される通気構造が記載されている。
【先行技術文献】
【特許文献】
【０００４】
【特許文献１】特開２０１３−１４７８１８号公報
【発明の概要】
【発明が解決しようとする課題】
【０００５】
しかし、特許文献１に記載された通気構造は、板状本体の裏面に突出して設けられる換気金具の中間部が、外壁と接触するように配置されるため、通気部材自体が外壁から妻側に突出したように配置する必要がある。
【０００６】
よって、特許文献１に記載された通気構造は、外壁に段差が形成されるため、軒のない構造を採用する場合には、使用することが難しかった。また、特許文献１に記載された化粧板は、窯業系材料を用いていることから、デザイン面及び高級感の問題は解消できるが、板状本体の裏面側へ突出する換気金具の突出量に合わせて、化粧板が固定される垂木の妻側の裏打ち材及び外壁との奥行き寸法幅を調整する必要がある。
【０００７】
したがって、本発明が解決しようとする技術的課題は、施工手順が容易であり、軒のない構成にもできる屋根裏と外気との間の通気可能な屋根裏通気構造及び通気部材を提供することである。
【課題を解決するための手段】
【０００８】
本発明は、上記技術的課題を解決するために、以下の構成の屋根裏通気構造を提供する。
【０００９】
本発明の第１態様によれば、軒を有しない屋根裏通気構造であって、
垂木の端面に固定された化粧板と外壁との間に配置され、屋根裏と外気との通気経路を形成可能な通気部材を備え、
前記通気部材は、
前記化粧板と外壁との外表面に沿って配置され、前記通気経路の通気開口が設けられた板状に構成された金属製の開口部材と、
前記開口部材の裏面側に接続し、前記外壁の上端に接するように配置され、前記上方へ延びる下側邪魔板を有する樹脂製の下部邪魔板部材と、
前記開口部材の裏面側に接続し、前記化粧板の下端に接するように配置され、前記下側邪魔板と異なる奥行き位置に下側に延びる上側邪魔板を有する上部邪魔板部材と、
を有し、
前記下側邪魔板と上側邪魔板は高さ方向に重なるような長さに構成されることを特徴とする、屋根裏通気構造を提供する。
【００１０】
本発明の第２態様によれば、前記上部邪魔板部材は、樹脂により構成されていることを特徴とする、第１態様の屋根裏通気構造を提供する。
【００１１】
本発明の第３態様によれば、前記下側邪魔板と上側邪魔板の少なくとも一方は、複数設けられていることを特徴とする、第第１又は２態様の屋根裏通気構造を提供する。
【００１２】
本発明の第４態様によれば、前記下部邪魔板部材は、前記下側邪魔板の下端部に設けられた排水口を有し、
前記開口部材に設けられた前記通気開口は、前記下部邪魔板部材より下方まで伸びていることを特徴とする、第１から第３態様のいずれか１つの屋根裏通気構造を提供する。
【００１３】
本発明の第５態様によれば、前記下部邪魔板部材は、前記外壁の上端に沿って配置される水平部と、前記水平部の中間位置に立設された第１下側邪魔板と、前記水平部の端部に前記水平部に対して立設された第２下側邪魔板とを有し、
前記上側邪魔板は、前記第１下側邪魔板と第２下側邪魔板との間の奥行き位置に配置されていることを特徴とする、第１から第４態様のいずれか１つの屋根裏通気構造を提供する。
【００１４】
本発明の第６態様によれば、前記下部邪魔板部材は、前記開口部材の裏面に沿うように構成され前記水平部に連続する係止部を有し、
前記前記開口部材は、下端が折り返されて構成された前記係止部を固定する折り返し部を有することを特徴とする、第５態様の屋根裏通気構造を提供する。
【００１５】
本発明の第７態様によれば、前記第２下側邪魔板は、下側が前記水平部に対して傾斜して設けられた斜行部と、前記斜行部の上端に連続する鉛直方向に伸びる鉛直部を有し、
前記斜行部に、耐火膨張材が配置されていることを特徴とする、第５又は第６態様の屋根裏通気構造を提供する。
【００１６】
本発明の第８態様によれば、軒を有しない屋根裏通気構造において、垂木の端面に固定された化粧板と外壁との間に配置される、屋根裏と外気との通気経路を形成可能な通気部材であって、
前記化粧板と外壁との外表面に沿って配置され、前記通気経路の通気開口が設けられた板状に構成された金属製の開口部材と、
前記開口部材の裏面側に接続し、前記外壁の上端に接するように配置され、前記上方へ延びる下側邪魔板を有する樹脂製の下部邪魔板部材と、
前記開口部材の裏面側に接続し、前記化粧板の下端に接するように配置され、前記下側邪魔板と異なる奥行き位置に下側に延びる上側邪魔板を有する上部邪魔板部材と、
を有し、
前記下側邪魔板と上側邪魔板は高さ方向に重なるような長さに構成されることを特徴とする、通気部材を提供する。
【発明の効果】
【００１７】
本発明によれば、軒を有しない屋根裏通気構造において、化粧板都外壁との間の隙間を外側から塞ぐように配置された開口部材によって、当該隙間を介して屋根裏と外気の通気を行うことができる。また、開口部材は金属で構成されているため、耐候性に優れる。
【００１８】
また、下側邪魔板部材は、樹脂で構成されており、熱を伝えにくいので、外壁中の木材の温度上昇を抑えることができる。
【００１９】
さらに、下部邪魔板部材と上部邪魔板部材とに設けられ、高さ方向に重なるような長さに構成されている下側邪魔板と上側邪魔板によって、通気開口から吹き込んだ雨水などが外壁内側に浸入することが防止される。
【００２０】
また、通気金具の取り付けは、前記化粧板と外壁との間の隙間に下部邪魔板部材と上部邪魔板部材を嵌め込んで、固定すればよいので、施工が容易であり、取り付けが容易である。
【００２１】
これにより、施工手順が容易であり、例えば、垂木の端面に固定された化粧板及び前記化粧板と上下方向に間隔をおいて配置された外壁との外表面が略同一面となる軒のない構成おいても適用できる屋根裏と外気との間の通気可能な屋根裏通気構造を提供することができる。
【図面の簡単な説明】
【００２２】
【図１】本発明の実施形態にかかる屋根裏通気構造が用いられた家屋の例を示す図である。
【図２】本発明の第１実施形態にかかる通気部材が用いられた屋根裏通気構造の例を示す断面図である。
【図３】図２の妻側外壁の構成を示す部分断面斜視図である。
【図４】本発明の第１実施形態にかかる通気部材の構成を示す斜視図である。
【図５】図４の通気部材の構成を示す図であり、（ａ）は断面図、（ｂ）は組立て断面図である。
【図６】図２の屋根裏通気構造のＶＩ部分の拡大図である。
【図７】本発明の第２実施形態にかかる通気部材の構成を示す図であり、（ａ）は断面図、（ｂ）は組立て断面図である。
【図８】本発明の第３実施形態にかかる通気部材が用いられた屋根裏通気構造の例を示す拡大断面図である。
【発明を実施するための形態】
【００２３】
以下、本発明の実施形態に係る通気部材及び当該通気部材を用いた屋根裏通気構造について、図面を参照しながら説明する。
【００２４】
図１は、本発明の実施形態にかかる通気部材が用いられた家屋の例を示す図である。本実施形態にかかる通気部材１は、屋根裏と外気の間で通気が可能な屋根裏通気構造５０に用いられる。通気部材１は、家屋１００の屋根１０１の妻側化粧板１０２と妻側外壁１０３との間、又は、家屋１００の屋根１０１の平側化粧板１０４と平側の外壁である平壁１０５との間に形成される隙間１７（図３参照）配置される。以下、本発明の通気部材１を妻側に配置する場合について説明するが、平側に配置する場合も基本的な構成は共通する。
【００２５】
（第１実施形態）
図２は、本発明の第１実施形態にかかる通気部材が用いられた屋根裏通気構造の例を示す断面図である。図３は、図２の妻側外壁の構成を示す部分断面斜視図である。図２は、通気部材を妻側に用いた屋根裏通気構造を例として説明するものであり、図１のII-II線における断面図に相当する。
【００２６】
本実施形態にかかる屋根裏通気構造５０においては、上記の通り本発明にかかる通気部材を妻側に用いている。本実施形態にかかる屋根裏通気構造５０では、垂木３の上に野地板４を敷いて、瓦などの屋根化粧材５を載せる。野地板４の先端部分には水切り板６が設けられる。
【００２７】
また、垂木３の先端側には妻側化粧板１０２が設けられている。妻側化粧板１０２は、垂木３の延在方向に沿って交差する方向に設けられており、当該妻側化粧板１０２は、図示しないビスなどにより垂木３に固定される。なお、固定は、ねじに限らず、釘、ビス、金具等の固定部材を用いることができる。
【００２８】
妻側化粧板１０２は、垂木の先端に設けられる下地材７と、下地材７の表面側に配置される化粧材８とを有する。下地材７は木材等が用いられ、化粧材８は、窯業系材料などが好適に用いられる。窯業系材料としては、例えば、無機系材料からなり、好ましくは、比重が０．７５〜２．０程度のセメント系押出成形体などを用いることができる。なお、妻側化粧板１０２は、下地材７を省略し、化粧材８を垂木３に直接取り付けることも可能である。
【００２９】
妻側外壁１０３は、所定の間隔を置いて配置される柱９と柱９の上端に水平方向に配置される妻梁１０とに固定される。柱９と妻梁１０との間には、天井１１が設けられる。天井１１と野地板４の間のスペースが屋根裏２となる。また、柱９の内側すなわち、屋内側には、内壁１２が配置される。内壁１２の内側は居住スペース１２ａとなる。
【００３０】
妻側外壁１０３は、下地合板１３と通気胴縁１４とサイディング材１５が積層されて構成されている。下地合板１３は、柱９に固定される薄手の木材で構成されており、表面に防湿シート１３ａを貼着する。下地合板１３の厚み寸法は、例えば９ｍｍ程度とすることができる。
【００３１】
通気胴縁１４は、図３に示すように、下地合板１３の外表面に所定の間隔をおいて配置される。通気胴縁１４の間の空間は、妻側外壁１０３の壁内通気経路１６となる。通気胴縁１４の厚み寸法は、例えば１５ｍｍ程度とすることができる。
【００３２】
サイディング材１５は、妻側外壁の最外装に配置される。サイディング材１５としては、例えば、妻側化粧板１０２の化粧材８と同様の材質を用いることができる。サイディング材１５の厚み寸法は、例えば１６ｍｍ程度とすることができる。
【００３３】
本実施形態では、妻側外壁１０３と妻側化粧板１０２との外表面は、ほぼ同一平面となるように構成される。すなわち、本実施形態にかかる家屋１００は、軒を有しない家屋となっている。妻側外壁１０３と妻側化粧板１０２との外表面を同一平面とするには、例えば、妻側化粧板１０２の下地材７や妻側外壁１０３の下地合板１３の厚み寸法を調整すればよい。
【００３４】
また、妻側外壁１０３と妻側化粧板１０２との間には、隙間１７が設けられており、当該隙間１７に通気部材１が配置される。なお、後述するように通気部材１は、長さ寸法Ｌは２〜３ｍ程度の部材であり、隙間１７は、通気部材１が配置される部分にのみ設ければよい。
【００３５】
図４は本発明の第１実施形態にかかる通気部材１の構成を示す斜視図である。本実施形態にかかる通気部材１は、金属で構成された開口部材２０と、開口部材２０の裏面側に設けられた下部邪魔板部材２１及び上部邪魔板部材２２とで構成されている。本実施形態では、通気部材１の長さ寸法Ｌは２〜３ｍとなっている。また、下部邪魔板部材２１と上部邪魔板部材２２との高さ寸法Ｈ２は、隙間１７に対応する。なお、通気部材１の大きさは、必ずしも上記サイズに限定されるものではなく、軒下構造の大きさに応じて適宜変更することができる。
【００３６】
開口部材２０は、一定の厚み寸法を有する金属板を折り曲げて構成されており、前面に多数の通気開口２４が穿設されている。開口部材２０の高さ寸法Ｈ１は、妻側外壁１０３と妻側化粧板１０２との間の隙間１７よりも大きく構成されており、本実施形態では６０ｍｍとなっている。
【００３７】
通気開口２４は、単位長さあたり所定の開口面積を確保できるように、大きさ及び設置数が設計される。
【００３８】
本実施形態では、開口部材２０の下端は、下部邪魔板部材２１を固定するための折り返し部２５となっている。また、開口部材２０の上端２３は、折り返され上部邪魔板部材２２と一体に接続される。すなわち、本実施形態では、開口部材２０と上部邪魔板部材２２は、一体であり、共に金属で構成されている。開口部材２０に好適に用いられる材料としては、ステンレス、鋼鉄、アルミニウム材料などが挙げられる。また、表面２３には、コーティングなどの防錆処理やデザイン面の工場のための加飾処理を施してもよい。
【００３９】
開口部材２０が金属で構成されることにより、屋外に露出する開口部材２０の耐候性を向上させることができる。
【００４０】
下部邪魔板部材２１は、合成樹脂で構成されている。下部邪魔板部材２１に好適に用いられる材料としては、ポリ塩化ビニル、ＡＢＳ樹脂などを例示することができる。下部邪魔板部材２１を樹脂で構成することにより、熱を伝えにくいので、開口部材２０からの熱が妻側外壁１０３の内部に伝わり難くすることができ、居住スペース１２ａの温度上昇の抑制及び防寒特性を向上させることができる。
【００４１】
下部邪魔板部材２１は、図５に示すように、開口部材２０の裏面に沿うように構成された係止部２９と、係止部２９に連続し、水平方向に伸びる水平部２６と、水平部２６の中央部分に立設された第１下側邪魔板２７と、水平部２６の端部に位置する第２下側邪魔板２８とが一体に構成されている。
【００４２】
係止部２９は、開口部材２０の裏面に沿うように略鉛直方向に延び、開口部材２０の折り返し部２５に挟まれて開口部材２０に固定される。水平部２６は、係止部２９に対して直交して水平方向に延び、妻側外壁１０３の上面に接触するように配置される。
【００４３】
第１下側邪魔板２７は、水平部２６の中間部分に設けられており、水平部２６から上向きに鉛直方向に延びる。また、第１下側邪魔板２７の下端位置には、通気部材１の長さ方向に所定間隔をおいて水抜き穴３０が複数設けられる。水抜き穴３０は、後述するように通気経路に侵入した水を外部に排出する。
【００４４】
第２下側邪魔板２８は、水平部２６から鉛直方向に対し略４５度方向に上向きに延びる斜行部２８ａと鉛直方向に延びる鉛直部２８ｂとを備えている。ただし、第２下側邪魔板２８は、鉛直部のみで構成してもよい。
【００４５】
第１下側邪魔板２７と第２下側邪魔板２８との高さ寸法は、同じである。ただし、第１下側邪魔板２７と第２下側邪魔板２８との高さ寸法は、それぞれ異なる高さとしてもよい。
【００４６】
上部邪魔板部材２２は、上記のように開口部材２０と一体に構成されており、水平部３２と上側邪魔板３１とを備える。水平部３２は、開口部材２０の裏面に対して直交して水平方向に延び、妻側化粧板１０２の下面に接触するように配置される。
【００４７】
上側邪魔板３１は、水平部３２の端部に連続し、鉛直方向下向きに延びる。上側邪魔板３１は、第１下側邪魔板２７と第２下側邪魔板２８の間の奥行き位置に設けられる。すなわち、上側邪魔板３１は、下側邪魔板２７，２８と異なる奥行き位置から下側に延びる。また、上側邪魔板３１は、下端３１ａが、第１下側邪魔板２７と第２下側邪魔板２８の上端よりも下方に位置するような長さ寸法に構成されている。
【００４８】
図６は、本実施形態にかかる通気部材を備えた屋根裏通気構造の部分拡大図である。図６に示すように、通気部材１は、開口部材２０を妻側化粧板１０２及び妻側外壁１０３を跨ぐように、妻側化粧板１０２及び妻側外壁１０３表面と略同一面となるように配置する一方、下部邪魔板部材２１及び上部邪魔板部材２２を隙間１７内に挿入するように配置する。また、通気部材１は、開口部材２０の上下突出部分を２０ａ，２０ｂを釘などで妻側化粧板１０２及び妻側外壁１０３に打ち付けて固定する。または、通気部材１は、上下突出部分を２０ａ，２０ｂの裏面を妻側化粧板１０２及び妻側外壁１０３に接着剤などで接着して固定してもよい。
【００４９】
図６に示すように、屋根裏通気構造５０は、矢印８０に示すように、通気部材により屋根裏と外気とを連通する通気経路８０が形成され、屋根裏と外気との間の通気を行なうことができる。
【００５０】
すなわち、通気経路８０は、開口部材２０の通気開口２４から開口部材２０の裏面側に延び、第１下側邪魔板２７、第２下側邪魔板２８と上側邪魔板３１との隙間を通って、屋根裏まで連通する。
【００５１】
第１下側邪魔板２７と上側邪魔板３１との隙間寸法Ａ及び第２下側邪魔板２８と上側邪魔板３１との隙間寸法Ｂは、共に、所定の開口面積を確保することができるように設計されており、妻側外壁１０３の厚み寸法や開口面積などの観点から決定すればよい。なお、本実施形態では、第１下側邪魔板２７と上側邪魔板３１との隙間寸法Ａ及び第２下側邪魔板２８と上側邪魔板３１との隙間寸法Ｂは、いずれも同寸法である。
【００５２】
また、第１下側邪魔板２７、第２下側邪魔板２８と上側邪魔板３１とは、互いに高さ方向に重なるような長さに構成されているため、通気経路８０は蛇行し、通気開口２４から浸入した雨水などが屋根裏側に浸入することを防止する。
【００５３】
また、第２下側邪魔板２８の斜行部２８ａによって、矢印８１に示すように、壁内通気経路１６を閉塞することなく確保することができる一方、鉛直部２８ｂの位置を、壁内通気経路１６よりも奥側とすることができるので、壁内通気経路１６への水の流入を抑制することができる。
【００５４】
また、開口部材２０の通気開口２４は、その下端位置２４ａが、下部邪魔板部材２１の水平部２６よりも低い位置になるように構成されている。これにより、通気経路８０に浸入した水は、水抜き穴３０を通って、開口部材２０側へ流れ、通気開口２４から外部に排出される。
【００５５】
本実施形態にかかる屋根裏通気構造は、上記の通り、妻側化粧板１０２及び妻側外壁１０３との間の隙間１７に通気部材１を配置することによって、通気部材１に設けられた通気経路８０により、屋根裏と外気とが通気できるように構成されている。一方で、通気部材１に設けられた複数の邪魔板２７，２８，３１によって通気経路は蛇行し、空気の急激な吹き込みを防止して、雨水などの屋根裏への浸入を防止することができる。
【００５６】
また、開口部材２０を金属で構成することにより、屋外に露出する開口部材２０の耐候性を向上させることができる一方、下部邪魔板部材２１は、合成樹脂で構成することにより、開口部材２０からの熱が妻側外壁１０３の内部へ伝わり難くすることができる。これにより、居住スペース１２ａの温度上昇の抑制及び防寒特性を向上させることができる。
【００５７】
（第２実施形態）
次に本発明の第２実施形態について説明する。図７は、本発明の第２実施形態にかかる通気部材４１の構成を示す図であり、（ａ）は断面図、（ｂ）は組立て断面図である。本実施形態にかかる通気部材４１は、第１実施形態にかかる通気部材１と同様に、妻側外壁１０３と妻側化粧板１０２との間の隙間１７に配置される。また、金属で構成された開口部材２０と、開口部材２０の裏面側に設けられた下部邪魔板部材２１及び上部邪魔板部材２２とで構成されている。以下、第１実施形態にかかる通気部材１との相違点を中心として説明し、共通する部分については説明を省略する。
【００５８】
開口部材２０は、一定の厚み寸法を有する金属板を折り曲げて構成されている。本実施形態では、上部邪魔板部材２２は、開口部材２０と別部材で構成されており、開口部材２０の上端に設けられた折り返し部２５ａにより、開口部材２０と接続される。
【００５９】
下部邪魔板部材２１は、合成樹脂で構成されている。下部邪魔板部材２１は、図７に示すように、開口部材２０の裏面に沿うように構成された係止部２９と、係止部２９に連続し、水平方向に伸びる水平部２６と、水平部２６の中央部分に立設された第１下側邪魔板２７と、水平部２６の端部に位置する第２下側邪魔板２８とが一体に構成されている。
【００６０】
第２下側邪魔板２８の斜行部２８ａには、加熱膨張材３３が設けられる。加熱膨張材３３は、火災などにより膨張して、通気経路８０を封鎖する。これにより、火災時に屋根裏に火が広がることを防止することができる。
【００６１】
上部邪魔板部材２２は、開口部材２０の折り返し部２５ａに接続される。上部邪魔板部材２２は、樹脂で構成されており、係止部３４と、水平部３２と上側邪魔板３１とを備える。上部邪魔板部材２２を樹脂で構成することにより、開口部材２０からの熱が妻側外壁１０３の内部に伝わり難くすることができ、屋根裏の温度上昇の抑制及び防寒特性を向上させることができる。
【００６２】
係止部３４は、開口部材２０の裏面に沿うように略鉛直方向に延び、開口部材２０の折り返し部２５ａに挟まれて開口部材２０に固定される。水平部３２は、開口部材２０の裏面に対して直交して水平方向に延び、妻側化粧板１０２の下面に接触するように配置される。
【００６３】
上側邪魔板３１は、水平部３２の端部に連続し、鉛直方向下向きに延びる。上側邪魔板３１は、下端３１ａが、第１下側邪魔板２７と第２下側邪魔板２８の上端よりも下方に位置するような長さ寸法に構成されている。
【００６４】
本実施形態にかかる通気部材４１は、開口部材２０を妻側化粧板１０２及び妻側外壁１０３を跨ぐように、妻側化粧板１０２及び妻側外壁１０３表面と略同一面となるように配置する一方、下部邪魔板部材２１及び上部邪魔板部材２２を隙間１７内に挿入するように配置する。
【００６５】
通気部材４１は、屋根裏と外気とを連通する通気経路を有し、この通気部材４１を屋根裏通気構造に用いることにより、屋根裏と外気との間の通気を行なうことができる。
【００６６】
（第３実施形態）
次に本発明の第３実施形態について説明する。図８は、本発明の第３実施形態にかかる通気部材が用いられた屋根裏通気構造の例を示す拡大断面図である。以下、本実施形態にかかる説明においては、図６に第１実施形態にかかる通気部材１と構成を共通にする部分は説明を省略し、相違点を中心に説明する。
【００６７】
本実施形態にかかる通気部材４２は、第１実施形態にかかる通気部材１と同様に、妻側外壁１０３と妻側化粧板１０２との間の隙間１７に配置される。また、金属で構成された開口部材２０と、開口部材２０の裏面側に設けられた下部邪魔板部材２１及び上部邪魔板部材２２とで構成されている。
【００６８】
開口部材２０は、一定の厚み寸法を有する金属板を折り曲げて構成されている。本実施形態では、上部邪魔板部材２２は、開口部材２０と別部材で構成されており、開口部材２０の上端に設けられた折り返し部２５ａにより、開口部材２０と接続される。
【００６９】
また、開口部材２０は、折り返し部２５に連続し、水平方向に延びる取付部３５を備える。取付部３５は、下部邪魔板部材２１の開口部材２０への固定に用いられる。
【００７０】
下部邪魔板部材２１は、合成樹脂で構成されている。下部邪魔板部材２１は、図８に示すように、水平方向に伸び水平部２６と、水平部２６水平部２６の端部に位置する第２下側邪魔板２８とが一体に構成されている。
【００７１】
水平部２６の裏面には、両面テープ３６が設けられており、開口部材２０の取付部３５に下部邪魔板部材２１を接着する。
【００７２】
本実施形態にかかる通気部材４２は、下部邪魔板部材２１に設けられている邪魔板を１枚のみとして、簡易な構造の通気部材４２とすることができる。
【００７３】
以上説明したように、本実施形態の屋根裏通気構造によれば、妻側化粧板１０２及び妻側外壁１０３との間の隙間１７に通気部材１を配置することによって、通気部材１に設けられた通気経路８０により、屋根裏と外気とが通気できるように構成されている。一方で、通気部材１に設けられた複数の邪魔板２７，２８，３１によって通気経路は蛇行し、空気の急激な吹き込みを防止して、雨水などの屋根裏への浸入を防止することができる。
【００７４】
また、開口部材２０を金属で構成することにより、屋外に露出する開口部材２０の耐候性を向上させることができる一方、下部邪魔板部材２１は、合成樹脂で構成することにより、開口部材２０からの熱が妻側外壁１０３の内部に伝わり難くすることができ、居住スペース１２ａの温度上昇の抑制及び防寒特性を向上させることができる。
【００７５】
また、通気金具１の取り付けは、妻側化粧板１０２と妻側外壁１０３との間の隙間１７に下部邪魔板部材と上部邪魔板部材を嵌め込むように装着し、突出部分を妻側化粧板１０２と妻側外壁１０３に固定すればよいので、施工が容易であり、取り付けが容易である。
【００７６】
なお、本発明は上記実施形態に限定されるものではなく、その他種々の態様で実施可能である。
【００７７】
たとえば、本発明の通気部材は、上記実施形態の妻側にのみ限定されるものではなく、平側にも使用することができる。
【００７８】
また、上記各実施形態では、上側邪魔板は１枚のみであるが、複数以上設けられていてもよい。また、下側邪魔板も、３枚以上設けてもよい。これらの邪魔板の枚数は、通気経路の開口面積に基づいて決定することができる。
【符号の説明】
【００７９】
１，４１，４２  通気部材
２  屋根裏
３  垂木
４  野地板
５  屋根化粧材
６  水切り板
７  下地材
８  化粧材
９  柱
１０  妻梁
１１  天井
１２  内壁
１２ａ  居住スペース
１３  下地合板
１４  通気胴縁
１５  サイディング材
１６  壁内通気経路
１７  隙間
２０  開口部材
２０ａ，２０ｂ  上下突出部分
２１  下部邪魔板部材
２２  上部邪魔板部材
２３  上端
２４  通気開口
２５，２５ａ  折り返し部
２６  水平部
２７  第１下側邪魔板
２８  第２下側邪魔板
２８ａ  斜行部
２８ｂ  鉛直部
２９  係止部
３０  水抜き穴
３１  上側邪魔板
３２  水平部
３３  加熱膨張材
３４  係止部
３５  取付部
３６  両面テープ
５０，５１  屋根裏通気構造
８０  通気経路
１０２  妻側化粧板
１０３  妻側外壁
【図１】
2019105087.tif 000003
【図２】
2019105087.tif 000004
【図３】
2019105087.tif 000005
【図４】
2019105087.tif 000006
【図５】
2019105087.tif 000007
【図６】
2019105087.tif 000008
【図７】
2019105087.tif 000009
【図８】
2019105087.tif 000010